(57)【特許請求の範囲】
【請求項１】
遊技盤の盤面に取り付けられる遊技機用入賞装置であって、
前記遊技盤と交差する軸線回りにおいて回動可能な一対の回動部材を含むとともに、それら一対の回動部材が複数の変位位置に相対変位することにより前記遊技球の入球のし易さが変化する遊技球誘導部材と、
その遊技球誘導部材を前記複数の変位位置の間で駆動変位させる駆動アクチュエータと、
前記遊技盤の盤面に対して前方側から取り付けられる台板を有するとともに、前記遊技球誘導部材及び前記駆動アクチュエータを支持するケーシングユニットと、
前記遊技球誘導部材を照明する発光手段と、
前記ケーシングユニットの台板と前記遊技盤との対向接触面間に形成される基板収納スペースに配置されるとともに、前記発光手段へ所定の電力を供給する配線基板と、
を備えたことを特徴とする遊技機用入賞装置。
【請求項２】
遊技盤の盤面に取り付けられる遊技機用入賞装置であって、
前記遊技盤と交差する軸線回りにおいて回動可能な一対の回動部材を含むとともに、それら一対の回動部材が複数の変位位置に相対変位することにより前記遊技球の入球のし易さが変化する遊技球誘導部材と、
その遊技球誘導部材を前記複数の変位位置の間で駆動変位させる駆動アクチュエータと、
前記遊技盤の盤面に対して前方側から取り付けられる台板を有するとともに、前記遊技球誘導部材及び前記駆動アクチュエータを支持するケーシングユニットと、
前記ケーシングユニットの台板において前記遊技盤との対向接触面側に形成される凹部に配置されるとともに、前記遊技球誘導部材を照明する発光手段が取り付けられる配線基板と、
を備えたことを特徴とする遊技機用入賞装置。
【請求項３】
前記発光手段は、前記配線基板に取り付けられたチップ状のＬＥＤ素子である請求項１又は２に記載の遊技機用入賞装置。
【請求項４】
前記配線基板の後面は、前記遊技盤の盤面に接触して配置される請求項１ないし３のいずれか１項に記載の遊技機用入賞装置。
【請求項５】
前記台板の前面側には前記遊技球の流下通路が形成されるとともに、
前記発光手段は、前記台板の前面よりも後方に位置して前記配線基板に取り付けられる請求項１ないし４のいずれか１項に記載の遊技機用入賞装置。
【請求項６】
前記配線基板は、その前面が前記台板に形成された凹部の底に接触する形態で、当該台板に取り付けられる一方、
前記発光手段は、その光軸が前記凹部の底に形成された前後方向の貫通孔の軸線とほぼ一致している請求項１ないし５のいずれか１項に記載の遊技機用入賞装置。
【請求項７】
前記ケーシングユニットは、
前記遊技盤の盤面に対して前方側から取り付けられる前記台板を有し、前記遊技球誘導部材を支持する前方側ユニットと、
その前方側ユニットとは別体に形成され、前記駆動アクチュエータを支持する支持部材にて該前方側ユニットに着脱可能に取り付けられる後方側ユニットと、
を含んで構成される請求項１ないし６のいずれか１項に記載の遊技機用入賞装置。
【請求項８】
前記配線基板は、前記前方側ユニットの台板と前記後方側ユニットの支持部材とで挟まれる形態にて保持されるとともに、
これら台板、配線基板及び支持部材が締結部材により一体的に固定される請求項７に記載の遊技機用入賞装置。
【請求項９】
前記遊技機用誘導部材は、前記一対の回動部材が一対の羽根部材にて構成される遊技機用チューリップである請求項１ないし８のいずれか１項に記載の遊技機用入賞装置。
【請求項１０】
請求項１ないし９のいずれか１項に記載の遊技機用入賞装置を備えたことを特徴とする遊技機。
【発明の詳細な説明】
【０００１】
【発明の属する技術分野】
本発明は、遊技機用入賞装置及びそれを用いた遊技機に関する。
【０００２】
【従来の技術】
従来、いわゆるチューリップ、役物等の、所定の遊技条件の成立に基づいて遊技球誘導部材（回動翼片、羽根とも称される）が変位する遊技機用入賞装置が広く提供されている。例えば、電動チューリップと称される入賞装置は、一体的に形成される本体部にアクチュエータ、伝達機構、羽根部材等が取り付けられた形態にて利用に供されるものが一般的であった。このような電動チューリップにおいて、その後方側にランプを設けることにより遊技に対する興趣を高めるための工夫が施されたものも見受けられる（例えば、実公平６−４７４９４号公報参照）。
【０００３】
【発明が解決しようとする課題】
ところで、このようなランプ（発光手段）は、ランプ用の配線基板（ランプ基板）の配置場所の制約等により電動チューリップの回動翼片からかなり後方に位置することが多く、入賞装置が前後方向に長くなって大型化する傾向がある。また、回動翼片に十分な光を照射するには、遊技盤の盤面に対して前方側から取り付けられる台板等にランプからの光を透過させるための透孔を大きく開口したり、又はその台板等を透明板で構成したり、若しくは光の反射板や拡散板を設置したりせねばならず、ランプ設置に付随する製造コストが増大するおそれがある。さらに、これらに伴って台板等の遊技盤への取付面積が大きくなる場合には、入賞装置の取付部の大型化も問題になる。
【０００４】
本発明の解決すべき課題は、発光手段の設置に付随する製造コストの増加を抑制し、小型化を図ることのできる遊技機用入賞装置とそれを用いた遊技機を提供することにある。
【０００５】
【課題を解決するための手段及び発明の効果】
上記のような課題を解決するために本発明の遊技機用入賞装置は、
遊技盤の盤面に取り付けられる遊技機用入賞装置であって、
前記遊技盤と交差する軸線回りにおいて回動可能な一対の回動部材を含むとともに、それら一対の回動部材が複数の変位位置に相対変位することにより前記遊技球の入球のし易さが変化する遊技球誘導部材と、
その遊技球誘導部材を前記複数の変位位置の間で駆動変位させる駆動アクチュエータと、
前記遊技盤の盤面に対して前方側から取り付けられる台板を有するとともに、前記遊技球誘導部材及び前記駆動アクチュエータを支持するケーシングユニットと、
前記遊技球誘導部材を照明する発光手段と、
前記ケーシングユニットの台板と前記遊技盤との対向接触面間に形成される基板収納スペースに配置されるとともに、前記発光手段へ所定の電力を供給する配線基板と、
を備えたことを特徴とする。
【０００６】
また、上記のような課題を解決するために本発明の遊技機用入賞装置は、
遊技盤の盤面に取り付けられる遊技機用入賞装置であって、
前記遊技盤と交差する軸線回りにおいて回動可能な一対の回動部材を含むとともに、それら一対の回動部材が複数の変位位置に相対変位することにより前記遊技球の入球のし易さが変化する遊技球誘導部材と、
その遊技球誘導部材を前記複数の変位位置の間で駆動変位させる駆動アクチュエータと、
前記遊技盤の盤面に対して前方側から取り付けられる台板を有するとともに、前記遊技球誘導部材及び前記駆動アクチュエータを支持するケーシングユニットと、
前記ケーシングユニットの台板において前記遊技盤との対向接触面側に形成される凹部に配置されるとともに、前記遊技球誘導部材を照明する発光手段が取り付けられる配線基板と、
を備えたことを特徴とする。
【０００７】
これらの遊技機用入賞装置によれば、発光手段へ所定の電力を供給する配線基板が台板と遊技盤との対向接触面間に形成される基板収納スペースに配置され、又は発光手段が取り付けられる配線基板が台板の遊技盤との対向接触面側に形成される凹部に配置されることにより、スペースの有効利用と遊技機用入賞装置の小型化を図ることができる。そして、発光手段のための配線基板が上記したスペースに配置されることによって、発光手段を照明対象である遊技機用チューリップ等の遊技球誘導部材に近づけることができるので、光の透過孔、透明台板、光の反射板や拡散板といった発光手段の設置に付随する製造コストの上昇を抑えることができる。
【０００８】
この場合、発光手段として配線基板に取り付けられたチップ状のＬＥＤ素子を用いれば、発光手段及び配線基板のコンパクト化と製造コストの増加抑制を達成しやすくなる。
【０００９】
そして、配線基板の後面を遊技盤の盤面に接触して配置すると、配線基板を台板と盤面とで挟持することによって、配線基板を台板に固定するねじ、ボルト等の締結部材の本数を減少又は省略できる場合がある。
【００１０】
なお、本発明において後方側（又は後面側）とは遊技盤の盤面と直交する方向（すなわち前後方向）における遊技機内部に向かう側（すなわち、主制御基板等の種々の基板が設けられる内部機構側）、前方側（又は前面側）とはそれとは反対側の遊技者に対面する側を意味する。また、上方側とは鉛直上方側、下方側とは鉛直下方側を意味するものとする。
【００１１】
ここで、台板の前面側には遊技球の流下通路を形成するとともに、発光手段を、台板の前面よりも後方に位置させて配線基板に取り付けることができる。こうすることで、発光手段に遊技球が接触するおそれがなく、また発光手段が遊技球の流下を阻害するおそれもなくなる。
【００１２】
次に、配線基板を、その前面が台板に形成された凹部の底に接触する形態で、台板に取り付ける一方、発光手段の光軸を、凹部の底に形成された前後方向の貫通孔の軸線とほぼ一致させることができる。こうすることによって、発光手段から出た光は、後方側への洩れ量が少なくなり、前方側すなわち遊技者に対面する側に設けられる遊技球誘導部材（回動部材）を明るく照らすことができる。なお、配線基板を凹部に埋め込む形態で配置する場合には、光の洩れ量をほとんどなくすことができる。
【００１３】
ところで、ケーシングユニットは、
遊技盤の盤面に対して前方側から取り付けられる台板を有し、遊技球誘導部材を支持する前方側ユニットと、
その前方側ユニットとは別体に形成され、駆動アクチュエータを支持する支持部材にて前方側ユニットに着脱可能に取り付けられる後方側ユニットと、
を含んで構成することができる。
【００１４】
遊技盤の前方側に設けられる前方側ユニットと、後方側に設けられる後方側ユニットとを別体に形成することにより、前方側ユニットを着脱可能とすることができ、使用形態に応じて前方側ユニットを変更することが可能となる。従って、新たな装飾態様を生じさせる場合には前方側ユニットのみを変更すれば足り、後方側ユニットは共用化できるため、部品の効率的利用、部品のリサイクル等が可能となり、製造コストを抑えることができ、かつ組み立てに伴う労力も低減することができる。
【００１５】
なお、前方側ユニットは、遊技盤の盤面に対して前方側から取り付けられる台板と、その台板と一体的に又は別体に形成され、台板より前方側に突出する前側装飾部とを有し、かつ遊技球誘導部材は、前側装飾部及び／又は台板に回動可能に支持されるように構成することができる。
【００１６】
さらに、配線基板を前方側ユニットの台板と後方側ユニットの支持部材とで挟まれる形態にて保持するとともに、これら台板、配線基板及び支持部材を締結部材により一体的に固定することができる。これら３者の共締めにより固定用のねじ、ボルト等の締結部材の本数を減少して（例えばビス１本での組み付けも可能として）、製造コストの低減を図ることができる。なお、上記３者に加えて前側装飾部も共締めできる場合には、さらなるコストダウンを達成することができる。また、近年遊技機においても各種部品のリサイクルが課題となっているが、このようにして締結部材の本数を減らすことにより入賞装置の分解が容易となり、部品の再利用を通じて地球環境保全に貢献できる。
【００１７】
以上のようにして製造コストの増加が抑制され、小型化が図られた遊技機用入賞装置を遊技機に配置することにより、遊技機全体としての製造コストの抑制と小型化が達成できるとともに、興趣に富んだ盤面構成を実現することができるようになる。
【００１８】
【発明の実施の形態】
本発明の実施の形態を図面に示す実施例を参照しつつ説明する。
図１に示されるように、遊技機用入賞装置１は遊技盤１０１の盤面１０１ａ（図７参照）に配置されるとともに、回動部材１０（遊技球誘導部材）と、ソレノイド３０（駆動アクチュエータ）と、伝達機構４１（図２）とを有している。回動部材１０は、複数の変位位置に変位可能とされ、自身の変位により遊技球の遊技機用入賞装置１の内部への入球のし易さを設定する。ソレノイド３０は、駆動出力部３７を有するとともに、その駆動出力部３７を複数の変位位置に駆動変位させる。伝達機構４１は、駆動出力部３７の駆動変位を、その駆動出力部３７と連動する１又は複数の中間伝達部材を介して回動部材１０の変位に変換しつつ回動部材１０に伝達する。
【００１９】
本実施例においては、図１又は図２に示すように、通電によってソレノイド３０内部（具体的には、コイル部５３内部）に駆動出力部３７が直線的に引き込まれるようになっており、その駆動出力部３７の直線変位を回動伝達部２１の回転変位に変換し、その回動伝達部２１の回転変位（ここでは盤面１０１ａ（図７参照）と平行な軸線回りの回動変位）をさらに回動部材１０の回動変位（ここでは盤面１０１ａと直交する軸線回りの回動変位）に変換するように伝達機構４１が構成されている。なお、回動伝達部２１が中間伝達部材として機能している。なお、駆動出力部３７は、コイルばね３９を貫通しつつソレノイド３０内部（コイル部５３内部）に引き込まれるようになっており、通電状態においては、コイルばね３９の付勢に反してコイル部５３内部に引き込まれ、通電解除状態においては、コイルばね３９による付勢により（具体的には、コイルばね３９が駆動出力部３７に形成されたフランジ部３７ａを押し出すことにより）、前方側に押し出されるようになっている。また、ソレノイド３０には、コイル部５３に電力を供給するためのリード部３１が設けられ、そのリード部３１の端部には端子部３２が備えられている。
【００２０】
また、本発明における駆動出力部３７は、コイル部５３の側方を金属材質からなる側方板５１ａ，５１ａが囲むようになっており、前方側においては、その側方版５１ａ，５１ａと連結又は一体形成された前方板５０が囲むようになっている。また、コイル部５３の上方及び下方は開口している。そして、前方板５０における側方板取り付け位置よりも、さらに側方に延びる形にて形成されてフランジ形態を呈し、その前方板５０において側方板５１ａ，５１ａよりも更に側方に突出する部分（以下、フランジ部ともいう）において、ソレノイド３０を伝達機構４１が収納されたハウジング４３（支持部材）に固定して支持するために締結部材挿通孔５０ａが形成されている。
【００２１】
そして、締結部材３５（例えばねじ、ビス、ボルト等）がこの締結部材挿通孔５０ａを貫通しつつハウジング４３に形成された締結部材挿入部４４に挿入・固定されて、これらソレノイド３０とハウジング４３が固定されることとなる。なお、盤面１０１ａ（図７参照）とほぼ平行に設けられる前方板５０に対し、直交又はほぼ直交するように側方板５１ａ，５１ａが取り付けられて固定されている。なお、これら側方板５１ａ，５１ａと背面板５１ｂは、コの字状に形成される金属板材５１の一部として一体形成されており、そのコの字状の金属板材５１の両端縁が前方板５０と固定される形となっている。なお、本実施例においては、前方板５０に形成された嵌合孔５０ｂ，５０ｂにおいて、金属板材５１の両端縁に形成された嵌合突起５１ｃ，５１ｃが挿入され、固定されるようになっている。このように、コイル部５３を囲む金属部材５１にフランジ部を設け、そのフランジ部をハウジング４３に固定するようにすれば（即ち、コイル部５３を保持する金属部材５１をハウジング４３外部に直接固定するようにし、ソレノイド３０をハウジング４３で囲まないようにすれば）、ソレノイド３０をハウジング４３にて包囲せずに一体構成でき、装置構成のコンパクト化に寄与することとなる。
【００２２】
さらに、図２に示されるように、遊技機用入賞装置１のケーシングユニット４は、回動部材１０が変位可能に支持されて、遊技盤１０１における盤面１０１ａ（図７参照）の前方側に突出した形にて取り付けられるものとされる前方側ユニット２と、その前方側ユニット２とは別体に形成され、伝達機構４１及びハウジング４３を備えた構成にて該前方側ユニット２に着脱可能に取り付けられる後方側ユニット３とを備えて構成される。
【００２３】
このように、遊技盤１０１の前方側に設けられる前方側ユニット２と、後方側に設けられ、伝達機構４１が備えられる後方側ユニット３とを別体に形成することにより、前方側ユニット２を着脱可能とすることができ、使用形態に応じて前方側ユニット２を変更することが可能となる。従って、新たな装飾態様を生じさせる場合には前方側ユニット２のみを変更すれば足り、伝達機構４１を有する後方側ユニット３は共用化できるため、部品の効率的利用、部品のリサイクル等が可能となり、製造コストを抑えることができ、かつ組み立てに伴う労力も低減することができる。例えば、設置対象となる遊技機に応じて装飾態様を変更したい場合や、前方側ユニット２のみ故障、消耗等が生じた場合には前方側ユニット２のみ変更すればよいため極めて効率的な使用形態となる。
【００２４】
また、本実施例において遊技球誘導部材は、図３に示すように遊技盤１０１の盤面１０１ａ（図７参照）と交差する軸線回りにおいて回動可能とされる一対の回動部材１０，１０を含むとともに、それら一対の回動部材１０，１０間に形成される隙間が遊技球の入賞口７とされ、その入賞口７が、遊技球が１球ごとに進入する第一の開口態様（図３（ａ））と、その第一の開口態様よりも広く開口する第二の開口態様（図３（ｂ））との少なくとも２つの開口態様となるようそれら一対の回動部材１０，１０が互いに相対変位するようになっている。なお、図３において、遊技機用入賞装置１は、一対の回動部材１０，１０が一対の羽根部材として構成される遊技機用チューリップ（具体的には電動チューリップ）となっている。
【００２５】
また、前方側ユニット２は、遊技盤１０１の盤面１０１ａ（図７参照）と平行又は略平行に取り付けられるものとされる台板１２と、その台板１２と一体的に形成されるか、又は別体形成され、台板１２の板面上より前方側に突出する前側装飾部１１とを備えて構成される。換言すれば、図３（ａ）、（ｂ）の各下図に示すように、前側装飾部１１は盤面１０１ａに取り付けた状態において、盤面１０１ａより前方側に突出するように構成されており、流下する遊技球を受ける構成となっている。なお、本実施例においては、台板１２と前側装飾部１１が別体形成されており、後述する係合構成により係合されている。
【００２６】
さらに、遊技球誘導部材としての回動部材１０，１０は、盤面１０１ａと交差（直交）する軸線を回動軸線とするように、前側装飾部１１及び／又は台板１２において回動可能に支持されるようになっており、それら回動部材１０，１０が回動することにより入賞口７が開閉するようになっている。具体的には、図１に示すように、前側装飾部１１に形成された回動部材支持軸１１ａ，１１ａが回動部材１０に形成された支持軸挿入穴１０ｂ，１０ｂにそれぞれ挿入されるようになっており、回動部材１０は、回動部材支持軸１１ａの中心軸線を回転軸線として回動可能に支持されている。そして、回動部材支持軸１１ａ，１１ａにより回動部材１０，１０が支持された状態にて前側装飾部１１と台板１２が固定されるようになっており、この台板１２が固定されることにより回動部材支持軸１１ａ，１１ａの後方側からの回動部材１０，１０の抜け止めがなされている。
【００２７】
図２に示すように、前方側ユニット２の台板１２には、遊技盤１０１との対向接触面側（すなわち盤面１０１ａ側）に凹部１２ｉが形成され、この凹部１２ｉには一対の回動部材１０，１０を照明する二対のチップ状ＬＥＤ素子５，５，５，５（発光手段）が前面側に突出して取り付けられた配線基板６が配置されている。この配線基板６は、その前面が凹部１２ｉの底に接触するように、凹部１２ｉに埋め込む形態で台板１２に取り付けられている。一方、各ＬＥＤ素子５は、その光軸が凹部１２ｉの底に形成された前後方向の貫通孔１２ｊの軸線とほぼ一致する（図５参照）ように、貫通孔１２ｊに後方側から挿入され、後方側への光の洩れ量を少なくし、前方側すなわち遊技者に対面する側に設けられる回動部材１０を明るく照らすようにしている。
【００２８】
図３（ａ）下図に示すように、前方側ユニット２と後方側ユニット３の組付け状態において、回動部材１０における後方側ユニット３に設けられた伝達機構４１の作用部２１ａに対応した位置に、その作用部２１ａの作用を受ける被作用部としての突出部１０ａが形成されている。そして、駆動出力部３７が駆動変位するに伴い、作用部２１ａがその駆動出力部３７と連動して変位し、突出部１０ａに作用するようになっている。そして、図２に示すように、後方側ユニット３から前方側ユニット２を取り外した場合には、それら作用部２１ａ及び被作用部（突出部１０ａ）が分離するようになっている。なお、図３（ａ）は駆動出力部３７が第一の変位位置にある場合を示しており、図３（ｂ）は第二の変位位置（コイル部５３（図１参照）に引き込まれた変位位置）にある場合を示している。また、回動部材１０，１０は、駆動出力部３７の変位位置と対応する回動変位位置をとるようになっており、図３（ａ）においては回動部材１０，１０が第一回動変位位置をとり、図３（ｂ）においては回動部材１０，１０が第二回動変位位置をとっている。二対のＬＥＤ素子５，５，５，５は、一対の回動部材１０，１０の回動軸線方向から見て、第一回動変位位置と第二回動変位位置とにそれぞれ対応して配置されている。
【００２９】
図１に戻り、台板１２及び前側装飾部１１はともに樹脂部材からなり、その台板１２の一部において被係合部が樹脂形成される一方、前側装飾部１１の一部においてその被係合部と係合する係合部が樹脂形成されている。具体的には、前側装飾部１１又は台板１２のいずれか一方に孔を形成し、他方にその孔に挿入するための突起を形成し、その孔に突起を圧入するか、または挿入後に接着するようにしてそれら前側装飾部１１及び台板１２を一体化させるようにしてもよい。
【００３０】
なお、突起１１ｄは一対の回動部材支持軸１１ａの先端においてそれぞれ一対形成されており、突起１１ｅはその下方において一対形成されている。これら突起１１ｄ，１１ｅが係合部として機能し、孔１２ｄ，１２ｅが被係合部として機能している。そして、図２に示すような後方側ユニット３から前方側ユニット２を取り外した場合においては、その係合部及び被係合部が互いに係合してそれら台板１２及び前側装飾部１１が締結部材を用いない構成にて一体化されることとなる。即ち、取り外し状態においては、締結部材（例えばビス等の金属部材）による固定ではなく、樹脂部材の係合により前側装飾部１１及び台板１２が結合して一体構成される。なお、樹脂部材同士の係合構成はこれに限定されず、前側装飾部１１と台板１２とが固定される係合形態であればよい。
【００３１】
一方、図３，図４のような取付状態においては、後方側ユニット３と前方側ユニット２とが、配線基板６を挟むようにして、締結部材３６（図１，図２参照）を用いて固定されるとともに、その取り付けに用いられる締結部材３６が台板１２と前側装飾部１１の固定に兼用されるようになっている。具体的にいえば、締結部材３６（例えばねじ、ビス、ボルト等）が後方側ユニット３のハウジング４３、配線基板６、前方側ユニット２の台板１２を各々貫通して前側装飾部１１に形成された締結部材挿入孔としての雌ねじ部１１ｆ（図６参照）に挿入されるようになっており、締結部材３６によりハウジング４３、配線基板６、台板１２、及び前側装飾部１１を一体的に固定している。さらに具体的には、ハウジング４３において左右一対形成された貫通孔４９と、配線基板６において左右一対形成された挿通孔６ｆと、台板１２において左右一対形成された貫通孔１２ｆを締結部材３６が各々貫通し、前側装飾部１１に形成された雌ねじ部１１ｆ（図６参照）に挿入されるようになっている。なお、雌ねじ部１１ｆは、前側装飾部１１における貫通孔１２ｆ，１２ｆに対応した位置に、盤面１０１ａと直交する方向に後方側に開口するように形成される。
【００３２】
本実施例において、後方側ユニット３のハウジング４３、前方側ユニット２の台板１２及び配線基板６の固定に用いる締結部材３６は２個のみとされており、ユニット同士の固定に用いる締結部材３６を必要最小限に抑えた構成となっている。なお、ソレノイド３０を後方側ユニット３のハウジング４３に固定して支持するために２個の締結部材３５を備えており、本発明のケーシングユニット４に用いられる締結部材は４個のみとなっている。このように、最小限の締結部材数にて遊技機用入賞装置１を構成するようにすれば、部品点数を削減でき、かつ組み立ての労力をも軽減することができる。さらに、図２に示す一対の位置決めピン１２ｈ，１２ｈ（台板１２の凹部１２ｉに立設され、配線基板６の一対の係合孔６ｈ，６ｈに係合する）を用いれば、ハウジング４３、台板１２、前側装飾部１１及び配線基板６の４者の固定に用いる締結部材３６は１個のみとすることも可能である。
【００３３】
また、ケーシングユニット４の盤面１０１ａへの取り付けは、前方側ユニット２の台板１２に形成された一対の取付孔９，９（図１参照）を介して、２個のねじ等の締結部材（図示省略）により遊技盤１０１に対して前方側から行われる。このとき、配線基板６の後面は遊技盤１０１の盤面１０１ａに接触して配置される（図３参照）ので、配線基板６を台板１２と盤面１０１ａとで挟持することができる。
【００３４】
図５に示すように、台板１２の前面側には入賞口７（図３参照）に続く遊技球Ｂの流下通路が形成されている。ＬＥＤ素子５は、その先端が台板１２の前面よりも後方に位置して配線基板６に取り付けられているので、ＬＥＤ素子５に遊技球Ｂが接触するおそれがなく、またＬＥＤ素子５が遊技球Ｂの流下を阻害するおそれもなくなる。また、配線基板６の後面側にＬＥＤ素子５への配線部を設けているので、導電性を有し台板１２の前面側を流下する遊技球ＢによってＬＥＤ素子５が誤作動することを防止できる。
【００３５】
また、図２に示されるように、回動部材１０に形成される被作用部は、その回動部材１０において台板１２の円弧状孔１２ａから後方側に突出するように形成される突出部１０ａを有してなり、その突出部１０ａは、後方側ユニット３のハウジング４３に形成された被作用部導入口１７，１７（図１参照）を介してその後方側ユニット３のハウジング４３内部に挿入されるように構成されている。そして、作用部２１ａは、そのハウジング４３内部に挿入された突出部１０ａに対応する位置に設けられ、ソレノイド３０の駆動出力部３７と連動して被作用部（突出部１０ａ）に作用するように構成されている。
【００３６】
具体的には、図１又は図３に示すように、駆動出力部３７と一体形成されたフランジ部３７ａ，３７ａの間において周方向に溝３７ｂが形成されており、その溝３７ｂ内に伝達回動部２１に形成された一対の突起２１ｃ，２１ｃが嵌まるようになっている。伝達回動部２１は、駆動出力部３７の変位方向（即ち、盤面前後方向）と直交する軸線を有する回動軸２１ｂ回りに回動するようになっており、駆動出力部３７の変位に対応して回動することとなる。そして、伝達回動部２１が回動することにより作用部２１ａが変位（ほぼ上下方向に変位）して突出部１０ａを移動させ、回動部材１０が回動することとなる。
【００３７】
また、図２に示されるように、後方側ユニット３のハウジング４３は、伝達機構４１の側方全体を、又は伝達機構４１の側方のほぼ全体を囲むように形成することができる。このように側方を囲むようにハウジング４３を形成すれば、側方から伝達機構４１を操作することが困難となり、当該入賞装置１への不正操作を効果的に防止することができる。
【００３８】
また、図３に示すように、ハウジング４３の下方において、遊技球を後方へ誘導するための樋６１（図３参照）が形成されている。樋６１は、盤面１０１ａと交差する方向において後方側に延びる形にて形成されている。また、樋６１は、前方側ユニット２に形成された第一溝部１１ｈと、その第一溝部１１ｈの後方側に続く形にて後方側ユニット３に形成された第二溝部２０を有してなり、その第二溝部２０の下方にはその第二溝部２０に沿って延びる切欠部２２が形成されている。この切欠部２２の幅は、遊技球の直径よりも小さく形成されている。
【００３９】
図３に示すように、切欠部２２は第二溝部２０の後方端２０ａを基点とした所定長さＬ（図３（ａ）参照）だけ形成されており、本実施例では、第二溝部２０の長さ（具体的には盤面１０１ａと直交する方向を長さ方向としている）の半分以上の長さに渡って形成されている。このように切欠部２２を形成することにより、少なくとも切欠部２２の分だけハウジング４３の下方への突出量を削減でき（即ち、ハウジング４３の壁部を省略できるため、その壁部を省略した分だけ小さくなる）、ケーシングユニット４のコンパクト化（具体的には、後方側ユニット３の上下方向におけるコンパクト化）を図ることができる。
【００４０】
また、図２及び図３に示すように、前側装飾部１１内部において、入賞口７を進入した遊技球を後方側に誘導するための誘導リブ６３を形成するようにし、その誘導リブ６３を台板１２の裏面１２ｇ側に達するように後方側に向けて延設することができる。
【００４１】
また、図２のように台板１２には樋６１の一部を構成する連通孔１２ｃが形成されており、その連通孔１２ｃの上方には、入球検知手段としてのスイッチ２５が挿入され、該スイッチ２５と嵌合するスイッチ配置孔１２ｂが形成されている。スイッチ２５には入賞口７を進入した遊技球が通過する通過孔２５ａが形成され、リード部２６及び端子部２７を介して外部装置に接続されるようになっている。
【００４２】
図７は、以上で述べた遊技機用入賞装置１を備えた遊技機の一例を示している。なお、この遊技機１００においては、上記説明におけるいずれの遊技機用入賞装置１をも適用できる。本実施例においては、いわゆるチューリップとも称される可変入賞装置を具体的な対象として説明したが、これに限定されない。
【００４３】
図８に図３の変形例を示す。この例では、ＬＥＤ素子５，５は左右一対設けられており、各回動部材１０の回動軸線方向から見て、第一回動変位位置及び第二回動変位位置において重複する領域内に配置されている。なお、図８において図３と共通する部分には同一符号を付して説明を省略する。
【００４４】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にもおよび、かつ、当業者が通常有する知識に基づく改良を適宜付加することができる。
【００４５】
例えば、配線基板６は、ＬＥＤ素子５（発光手段）の他にソレノイド３０（駆動アクチュエータ）及び／又はスイッチ２５（入球検知手段）に所定の電力供給を行うものであってもよい。
【図面の簡単な説明】
【図１】本発明の遊技機用入賞装置の一例を示す斜視図。
【図２】前方側ユニット及び後方側ユニットの構成例を示す斜視図。
【図３】（ａ）は第一開口態様、（ｂ）は第二開口態様をそれぞれ例示する入賞装置の正面図及びその中央断面図。
【図４】図２の組み付け状態を示す斜視図及び背面図。
【図５】図３（ｂ）のＡ−Ａ断面図。
【図６】図４（ｂ）のＢ−Ｂ断面図。
【図７】遊技機用入賞装置を備えた遊技機の一例を示す正面図。
【図８】図３の変形例を、前側装飾部を取り除いた状態にて示す正面図。
【符号の説明】
１      遊技機用入賞装置
２      前方側ユニット
３      後方側ユニット
４      ケーシングユニット
５      ＬＥＤ素子（発光手段）
６      配線基板
１０    回動部材  （羽根部材、遊技球誘導部材）
１１    前側装飾部
１２    台板
１２ｉ  凹部
１２ｊ  貫通孔
３０    ソレノイド（駆動アクチュエータ）
３６    締結部材
４３    ハウジング（支持部材）
【図１】
0004139097.tif 000002
【図２】
0004139097.tif 000003
【図３】
0004139097.tif 000004
【図４】
0004139097.tif 000005
【図５】
0004139097.tif 000006
【図６】
0004139097.tif 000007
【図７】
0004139097.tif 000008
【図８】
0004139097.tif 000009